(57)【要約】      （修正有）【課題】直方体形状に組み立てられて梱包用に使用され、かつペット用ハウスとして使用可能な段ボールにおいて、ペットの大きさに影響を受けずにペット用ハウスとして容易に使用可能な段ボールを提供する。【解決手段】段ボールは、４つの側面２１〜２４を有する側部２０と、側部の端縁から延びる一対の内フラップ６１、６３と、側部の端縁から延び、直方体形状に組み立てられた場合に一対の内フラップを覆う一対の外フラップ６２、６４と、を備える。一対の内フラップの少なくとも一方には、ペット用ハウスのデザイン（ドアのデザイン）が設けられる。一対の内フラップ間がペットの大きさに応じて幅が可変のペット用の出入り口となるように、４つの側面のうちのいずれかの側面が接地した状態でペット用ハウスとして使用される。【選択図】図１
0003225833.tif 000002
【実用新案登録請求の範囲】
【請求項１】
直方体形状に組み立てられて梱包用に使用され、かつペット用ハウスとして使用可能であり、
４つの側面を有する側部と、
前記側部の端縁から延びる一対の内フラップと、
前記側部の端縁から延びており、かつ前記直方体形状に組み立てられた場合に前記一対の内フラップを覆う一対の外フラップと、を備える段ボールであって、
前記一対の内フラップの少なくとも一方には、前記ペット用ハウスのデザインが設けられており、
前記一対の内フラップ間がペット用の出入り口となるように、前記４つの側面のうちのいずれかの側面が接地した状態で前記ペット用ハウスとして使用される段ボール。
【請求項２】
前記内フラップには、前記デザインの少なくとも一部に沿ってミシン目が形成されている請求項１に記載の段ボール。
【請求項３】
前記内フラップは、前記ミシン目によって囲まれた切り抜き領域を有する請求項２に記載の段ボール。
【請求項４】
前記切り抜き領域の面積は、１５ｃｍ２以上であり、
前記内フラップの面積に対する前記切り抜き領域の面積の割合は、３０％以下である請求項３に記載の段ボール。
【請求項５】
前記側部には、ミシン目が形成されずに前記ペット用ハウスのデザインが設けられている請求項１から４のいずれか１項に記載の段ボール。
【請求項６】
前記一対の内フラップの両方に、前記ペット用ハウスの前記デザインが設けられている請求項１から５のいずれか１項に記載の段ボール。
【請求項７】
前記４つの側面は、一対の幅面と、前記４つの側面が並ぶ横方向の長さが前記幅面よりも長い一対の長さ面により構成され、
前記一対の長さ面の一方が接地した長さ面接地状態で前記ペット用ハウスとして使用される請求項１から６のいずれか１項に記載の段ボール。
【請求項８】
前記長さ面接地状態において、前記一対の内フラップは、前記一対の外フラップのうち上側に位置する外フラップを下側から支持可能であり、
前記一対の内フラップのそれぞれは、前記幅面を有する前記側部の一方の端縁から、前記長さ面の前記横方向の長さの３０％以上延びている請求項６に記載の段ボール。
【請求項９】
前記一対の内フラップのそれぞれは、前記幅面を有する前記側部の前記端縁から延びており、
前記幅面を有する前記側部の前記端縁と反対側に位置する前記側部の他方の端縁から、前記長さ面の前記横方向の長さの３０％以上延びている一対の第２内フラップを有する請求項７又は８に記載の段ボール。
【請求項１０】
中芯が波状に延びている流れ方向と、前記流れ方向に直交する紙幅方向と、を有し、
前記一対の外フラップは、前記側部の端縁から前記紙幅方向に延びている請求項７から請求項９に記載の段ボール。
【請求項１１】
前記内フラップには、前記ペット用ハウスの前記デザインとしてドアのデザインが設けられている請求項１から１０のいずれか１項に記載の段ボール。
【考案の詳細な説明】
【技術分野】
【０００１】
本発明は、直方体形状に組み立てられて梱包用に使用され、かつペット用ハウスとして使用可能な段ボールに関する。
【背景技術】
【０００２】
特許文献１には、直方体形状に組み立てられて梱包用に使用されるだけでなく、ペット用ハウスとして使用可能な段ボールが開示されている。段ボール箱をペット関連商品の梱包に使用する場合には、使用者がペット関連商品を購入することで、段ボールを無料で入手することができるため、使用者に対し商品の購入意欲を喚起することが可能なことに加え、段ボールの再利用が可能となる。
【０００３】
段ボールの側面には、ペット用ハウスのデザインとして、扉及び窓のデザインと共に、扉及び窓の３辺に沿った切り取り線が印刷されている。使用者が、切り取り線に沿って段ボールに切り込みを入れて、扉及び窓の接続辺に沿って、扉及び窓が印刷された部分を外側に折り曲げることで、ペット用ハウスを簡単に作成することができる。
【先行技術文献】
【特許文献】
【０００４】
【特許文献１】実用新案登録第３２０９３０４号
【考案の概要】
【考案が解決しようとする課題】
【０００５】
特許文献１の段ボールでは、使用者が扉に沿った切り取り線に沿って段ボールに切り込みを入れなければ、ペット用の出入り口が形成されないため、ペット用ハウスとして使用できなかった。
【０００６】
また、段ボールには、扉及び扉に沿った切り取り線が印刷されているため、ペット用の出入り口の大きさが予め規定されていた。従って、ペットの大きさによっては、扉から出入りできず、ペット用ハウスとして使用できない虞がある。
【０００７】
そこで、本考案は、上述した課題を解決するためになされたものであり、直方体形状に組み立てられて梱包用に使用され、かつペット用ハウスとして使用可能な段ボールにおいて、ペットの大きさに影響を受け難いペット用ハウスとして容易に使用可能な段ボールを提供することを目的とする。
【０００８】
一態様に係る段ボールは、直方体形状に組み立てられて梱包用に使用され、かつペット用ハウスとして使用可能である。前記段ボールは、４つの側面を有する側部と、前記側部の端縁から延びる一対の内フラップと、前記側部の端縁から延びており、かつ前記直方体形状に組み立てられた場合に前記一対の内フラップを覆う一対の外フラップと、を備える。前記一対の内フラップの少なくとも一方には、前記ペット用ハウスのデザインが設けられている。前記一対の内フラップ間がペット用の出入り口となるように、前記４つの側面のうちのいずれかの側面が接地した状態で前記ペット用ハウスとして使用される。
【図面の簡単な説明】
【０００９】
【図１】図１は、実施形態に係る段ボールの模式的な斜視図である。
【図２】図２は、ペット用ハウスとして使用される段ボールを説明するための模式図である。
【図３】図３は、実施形態に係る段ボールを説明するための模式図である。
【図４】図４は、変更例に係る段ボールの模式的な斜視図である。
【考案を実施するための形態】
【００１０】
（１）実施形態の概要
本明細書及び添付図面の記載により、少なくとも以下の事項が明らかとなる。
【００１１】
一態様に係る段ボールは、直方体形状に組み立てられて梱包用に使用され、かつペット用ハウスとして使用可能である。前記段ボールは、４つの側面を有する側部と、前記側部の端縁から延びる一対の内フラップと、前記側部の端縁から延びており、かつ前記直方体形状に組み立てられた場合に前記一対の内フラップを覆う一対の外フラップと、を備える。前記一対の内フラップの少なくとも一方には、前記ペット用ハウスのデザインが設けられている。前記一対の内フラップ間がペット用の出入り口となるように、前記４つの側面のうちのいずれかの側面が接地した状態で前記ペット用ハウスとして使用される。
【００１２】
ペット用の出入り口付近に位置する一対の内フラップの少なくとも一方にペット用ハウスのデザインを設けることで、使用者が、段ボールをペット用ハウスとして使用者に認識し易い。一方で、段ボールが梱包用に直方体形状に組み立てられている場合、一対の外フラップによって内フラップは外側に露出していないため、内フラップに設けられたペット用ハウスのデザインを視認できない。これにより、内フラップのデザインが、段ボールの搬送に影響を与えず、ペット用ハウスのデザインの自由度を増加させることができる。また、段ボールの搬送時に、内フラップのデザインは、他の段ボール等の外部との接触がないため、デザインが汚れたり、剥がれたりすることを抑制できる。このため、内フラップのデザインの塗料として、擦れに弱い塗料等を用いることができ、デザインの自由度を増加させることができる。
【００１３】
一対の内フラップを、側部の端縁を基点として動かすことによって、一対の内フラップ間の距離を変化させることができる。一対の内フラップ間がペット用の出入り口であるため、ペットの大きさに応じて、一対の内フラップを動かすことで、ペット用ハウスの出入り口の広さを変更することができる。使用者が段ボールに切り込みを入れて出入り口を作成する必要がないため、ペット用ハウスとして容易に使用可能である。
【００１４】
好ましい一態様によれば、前記内フラップには、前記デザインの少なくとも一部に沿ってミシン目が形成されてよい。使用者が、ミシン目に沿って容易に段ボールに切り込みを入れることができるため、ペット用ハウスを容易に作成することができる。加えて、段ボールが梱包用に直方体形状に組み立てられている場合、内フラップは外側に露出しておらず、かつ内フラップの端部が固定されていないため、内フラップには、ミシン目が破損するような力が掛かり難い。従って、段ボールの搬送時に段ボールがミシン目に沿って破損することを抑制できる。
【００１５】
好ましい一態様によれば、前記内フラップは、前記ミシン目によって囲まれた切り抜き領域を有してよい。使用者が、ミシン目に沿って段ボールを切り抜くことによって切り抜き領域には開口が形成される。使用者が、内フラップを動かす際に、開口に指を入れて内フラップを掴み易くなる。これにより、使用者が、ペット用の出入り口の大きさを調整する際に、内フラップをより動かし易くできる。加えて、ミシン目が内フラップに形成されているため、段ボールの搬送時に段ボールがミシン目に沿って破損することを抑制できる。
【００１６】
好ましい一態様によれば、前記切り抜き領域の面積は、１５ｃｍ２以上であってよい。前記内フラップの面積に対する前記切り抜き領域の面積の割合は、３０％以下であってよい。これにより、切り抜き領域に形成された開口が広い面積を有するため、親指以外の指を開口に入れやすくなり、内フラップをさらに掴みやすくできる。また、ペット用ハウスに入ったペットが開口から手を出し易くなるため、ペット用ハウスに入った状態で、ペットが使用者とコミュニケーションを取り易くすることができる。一方で、切り抜き領域の割合を３０％以下にすることで、内フラップの強度を維持することができ、内フラップを動かす際に内フラップを曲がり難くすることができる。これにより、使用者が、ペット用の出入り口の大きさを調整する際に、内フラップをより動かし易くできる。
【００１７】
好ましい一態様によれば、前記側部には、ミシン目が形成されずに前記ペット用ハウスのデザインが設けられてよい。ネコ科の動物の特性として、木などの高いところに上りたがる特性がある。このため、ペット用ハウスの屋根に上るネコは少なくない。側部にミシン目を形成しないことで、ペットが最も上側に位置する側部（すなわち、ペット用ハウスの屋根部分）に上ったとしても、ペットがミシン目に沿って形成された穴に落ちることを抑制できる。
【００１８】
好ましい一態様によれば、前記一対の内フラップの両方に、前記ペット用ハウスの前記デザインが設けられてよい。一対の内フラップの両方にペット用ハウスのデザインを設けることで、段ボールをペット用ハウスとして使用者により認識させ易くできる。
【００１９】
好ましい一態様によれば、前記４つの側面は、一対の幅面と、前記４つの側面が並ぶ横方向の長さが前記幅面よりも長い一対の長さ面により構成されてよい。前記一対の長さ面の一方が接地した長さ面接地状態で前記ペット用ハウスとして使用されてよい。これにより、段ボールの重心が下がり、ペット用ハウスが安定するため、ペットがペット用ハウスに衝突しても倒れ難くすることができる。
【００２０】
好ましい一態様によれば、前記長さ面接地状態において、前記一対の内フラップは、前記一対の外フラップのうち上側に位置する外フラップを下側から支持可能であってよい。前記一対の内フラップのそれぞれは、前記幅面を有する前記側部の一方の端縁から、前記長さ面の前記横方向の長さの３０％以上延びてよい。これにより、一対の内フラップにより、長さ面の横方向の長さの６０％以上の範囲を支持することができる。従って、ペットが、ペット用ハウスの屋根部分を構成する側部に上ったとしても、一対の内フラップが、外フラップを介して当該側部を支持することができるため、ペット用ハウスを潰れ難くすることができる。
【００２１】
好ましい一態様によれば、前記一対の内フラップのそれぞれは、前記幅面を有する前記側部の前記端縁から延びてよい。前記段ボールは、前記幅面を有する前記側部の前記端縁と反対側に位置する前記側部の他方の端縁から、前記長さ面の前記横方向の長さの３０％以上延びている一対の第２内フラップを有してよい。これにより、一対の第２内フラップにより、長さ面の横方向の長さの６０％以上の範囲を支持することができる。従って、ペットが、ペット用ハウスの屋根部分を構成する側部に上ったとしても、一対の第２内フラップが、当該側部を支持することができるため、ペット用ハウスを潰れ難くすることができる。
【００２２】
好ましい一態様によれば、前記段ボールは、中芯が波状に延びている流れ方向と、前記流れ方向に直交する紙幅方向と、を有してよい。前記一対の外フラップは、前記側部の端縁から前記紙幅方向に延びてよい。一対の長さ面の一方が接地した長さ面接地状態では、一方の外フラップは、一対の内フラップに支持されている状態でペット用ハウスとして使用可能である。ここで、外フラップは紙幅方向に沿って折れ易いため、外フラップが側部から流れ方向に延びている場合、一対の内フラップよりも外側へ延びている外フラップの一部が、内フラップを基点として折れて垂れ下がりやすい。
【００２３】
そこで、外フラップが、側部から紙幅方向に延びることで、段ボールがペット用ハウスとして使用されている状態で、外フラップの一部が垂れ下がることを抑制できる。
【００２４】
好ましい一態様によれば、前記内フラップには、前記ペット用ハウスの前記デザインとしてドアのデザインが設けられてよい。これにより、一対の内フラップ間をペット用ハウスの出入り口として使用者に認識させ易くできる。加えて、使用者に、内フラップを動かすことを促すことができる。
【００２５】
（２）段ボールの概略構成
以下、図面を参照して、実施形態に係る段ボールについて説明する。以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００２６】
図１は、実施形態に係る段ボールの模式的な斜視図である。図１Ａは、梱包用に使用される段ボールの模式的な斜視図である。図１Ｂは、ペット用ハウスとして使用される段ボールの模式的な斜視図である。図２は、ペット用ハウスとして使用される段ボールを説明するための模式図である。図２Ａは、ペット用ハウスとして使用される段ボールの一例を示す模式的な正面図である。図２Ｂは、ペット用ハウスとして使用される段ボールの一例を示す模式的な斜視図である。図３は、実施形態に係る段ボールを説明するための模式図である。図３Ａは、実施形態に係る段ボールの模式的な展開図である。図３Ｂは、図３Ａに示す３Ｂ−３Ｂ線に沿った断面の模式的な一部拡大図である。
【００２７】
図１Ａに示すように、段ボール１は、直方体形状に組み立てられて梱包用に使用される。図１Ａに示すように、梱包用に使用されている段ボール１の状態は、以下、梱包状態と適宜称する。一方、図１Ｂ、図２に示すように、段ボール１は、ペット用ハウスとして使用可能である。図１Ｂ、図２に示すように、ペット用ハウスとして使用されている段ボール１の状態は、ペット用ハウス状態と適宜称する。
【００２８】
段ボール１に梱包される物品は、特に限定されないが、段ボール１を遊具として使用するペットに用いられるものが好ましい。物品は、例えば、ペット用おむつ、ペット用トイレシート、ペット用トイレ本体などのペット関連商品である。ペットは、例えば、猫、犬、ウサギ、ハムスター、モルモット、フェレットなどである。本実施形態では、ペットの一例として猫を挙げて説明する。
【００２９】
図３等に示すように、段ボール１は、側部２０、底部４０、及び天面部６０を備える。また、段ボール１は、一対の内フラップと一対の外フラップと、を備える。一対の内フラップは、側部２０の端縁から延びている。一対の外フラップは、側部２０の端縁から延びており、かつ直方体形状に組み立てられた場合に一対の内フラップを覆っている。後述するように、底部４０及び天面部６０のそれぞれは、一対の内フラップと一対の外フラップとを有する。
【００３０】
側部２０は、梱包状態において４つの側面を有する。４つの側面は、第１側面、第２側面、第３側面、第４側面である。側部２０は、４つの側面のいずれかを構成する第１側部２１、第２側部２２、第３側部２３及び第４側部２４を有する。実施形態では、第１側部２１が第１側面を構成し、第２側部２２が第２側面を構成し、第３側部２３が第３側面を構成し、第４側部２４が第４側面を構成してよい。なお、第１側面が右側面であり、第２側面が背面であり、第３側面が左側面であり、第４側面が正面であってよい。
【００３１】
第１側部２１から第４側部２４は、梱包状態において互いに隣接する側部２０と連結されている。具体的には、第１側部２１は、第２側部２２及び第４側部２４と連結されている。第２側部２２は、第１側部２１及び第３側部２３と連結されている。第３側部２３は、第２側部２２及び第４側部２４と連結されている。第４側部２４は、第１側部２１及び第３側部２３と連結されている。
【００３２】
なお、本明細書では、側部２０どうしが一体的な部材により構成されることで側部２０どうしが連結されていてもよいし、接着剤などの接合部材により接合されることで側部２０どうしが連結されていてもよい。後述するように、接合部材によって、側部２０どうしが連結部７０を介して連結されてよい。
【００３３】
底部４０は、梱包状態において底面を有する。底部４０は、一対の内フラップに対応する一対の底内フラップ４１，４３と、一対の外フラップに対応する一対の底外フラップ４２，４４と、を有する。一対の底内フラップ４１，４３は、梱包状態において一対の底外フラップ４２，４４よりも厚さ方向Ｔの内側に位置する。一対の底外フラップ４２，４４は、梱包状態において底面を構成する。従って、梱包状態では、一対の底内フラップ４１，４３は、一対の底外フラップ４２，４４に覆われているため、外部から視認できない。梱包状態において、一対の底内フラップ４１，４３は、互いに対向する位置に配置されており、一対の底外フラップ４２，４４は、互いに対向する位置に配置されている。
【００３４】
天面部６０は、梱包状態において天面を有する。天面部６０は、一対の内フラップに対応する一対の天内フラップ６１，６３と、一対の外フラップに対応する一対の天外フラップ６２，６４と、を有する。一対の天内フラップ６１，６３は、梱包状態において一対の天外フラップ６２，６４よりも厚さ方向Ｔの内側に位置する。一対の天外フラップ６２，６４は、梱包状態において天面を構成する。従って、梱包状態では、一対の天内フラップ６１，６３は、一対の天外フラップ６２，６４に覆われているため、外部から視認できない。梱包状態において、一対の天内フラップ６１，６３は、互いに対向する位置に配置されており、一対の天外フラップ６２，６４は、互いに対向する位置に配置されている。
【００３５】
図３Ａでは、段ボール１が展開された展開状態が示されている。実施形態では、第１側部２１と第４側部２４との連結が外されることで、段ボール１が展開されている。段ボール１は、梱包状態及び展開状態において、第１側部２１から第４側部２４が並ぶ横方向ＣＤと、横方向ＣＤに直交する高さ方向ＨＤを有してよい。また、図１Ｂ等に示すように、段ボール１は、ペット用ハウス状態において、上方向Ｕと下方向Ｄとを有してよい。なお、横方向ＣＤ及び高さ方向ＨＤに直交する方向は、段ボール１の厚さ方向Ｔを示す。
【００３６】
図３Ａに示すように、展開状態において、底部４０は、側部２０の端縁２０Ｅ２から高さ方向ＨＤへ延びている。具体的には、展開状態において、底内フラップ４１は第１側部２１の下端縁２０Ｅ２から高さ方向ＨＤへ延びており、底外フラップ４２は第２側部２２の下端縁２０Ｅ２から高さ方向ＨＤへ延びており、底内フラップ４３は第３側部２３の下端縁２０Ｅ２から高さ方向ＨＤへ延びており、底外フラップ４４は第４側部２４の下端縁２０Ｅ２から高さ方向ＨＤへ延びている。一対の底内フラップ４１，４３は、一対の底外フラップ４２，４４と横方向ＣＤに隣接している。一方で、一対の底内フラップ４１，４３は、一対の底外フラップ４２，４４と連結されていない。
【００３７】
また、図３Ａに示すように、展開状態において、天面部６０は、側部２０の端縁２０Ｅ１から高さ方向ＨＤへ延びている。具体的には、天内フラップ６１は第１側部２１の上端縁２０Ｅ１から高さ方向ＨＤへ延びており、天外フラップ６２は第２側部２２の上端縁２０Ｅ１から高さ方向ＨＤへ延びており、天内フラップ６３は第３側部２３の上端縁２０Ｅ１から高さ方向ＨＤへ延びており、天外フラップ６４は第４側部２４の上端縁２０Ｅ１から高さ方向ＨＤへ延びている。一対の天内フラップ６１，６３は、一対の天外フラップ６２，６４と横方向ＣＤに隣接している。一方で、一対の天内フラップ６１，６３は、一対の天外フラップ６２，６４と連結されていない。
【００３８】
図３Ａに示すように、段ボール１は、第４側部２４に隣接する連結部７０を有してよい。連結部７０は、横方向ＣＤにおいて第３側部２３側とは反対側の第１側部２１の端部に連結している。梱包状態において、連結部７０は、第１側部２１よりも段ボール１の厚さ方向Ｔの内側から第１側部２１に接合されてよい。或いは、梱包状態において、連結部７０は、第１側部２１よりも段ボール１の厚さ方向Ｔの外側から第１側部２１に接合されてよい。
【００３９】
図１Ｂ等に示すように一対の内フラップの少なくとも一方には、ペット用ハウスのデザインが設けられている。一対の内フラップの両方に、ペット用ハウスのデザインが設けられてよい。実施形態では、一対の天内フラップ６１，６３の両方にペット用ハウスのデザインが設けられている。なお、段ボール１には、ペット用ハウスがカフェ店と視認されるように、デザインが設けられている。
【００４０】
図１、２に示すように、天内フラップ６１には、カフェ店員が接客するカウンターに視認されるように、窓、カウンター、メニューなどのデザインが設けられてよい。また、天内フラップ６３には、ドアのデザインが設けられてよい。具体的には、ドアの取手、ドアのポストのデザインが設けられてよい。
【００４１】
また、一対の外フラップの少なくとも一方に、ペット用ハウスのデザインが設けられてよく、一対の外フラップの両方にペット用ハウスのデザインが設けられてもよい。図１Ｂ等に示すように、天外フラップ６２には、カフェのひさしのデザインが設けられてよい。なお、実施形態では、天外フラップ６４にはペット用ハウスのデザインが設けられてない。
【００４２】
また、図３Ａ等に示すように、内フラップには、デザインの少なくとも一部に沿ってミシン目Ｐが形成されてよい。また、内フラップは、ミシン目Ｐによって囲まれた切り抜き領域ＣＲを有してよい。実施形態では、一対の天内フラップ６１，６３の両方にミシン目Ｐが形成されている。一対の天内フラップ６１，６３は、ミシン目Ｐ１によって囲まれた切り抜き領域ＣＲを有する。ミシン目Ｐ１に沿って段ボール１の一部を切り取ることで、窓を形成することができる。
【００４３】
また、図３Ａ等に示すように、天内フラップ６３には、扉部分ＤＰの３辺に沿ったＨ状のミシン目Ｐ２が設けられてよい。ミシン目Ｐ２に沿って段ボール１に切り込みを入れた後に、ミシン目Ｐ２に挟まれている扉部分ＤＰを、扉部分ＤＰの接続辺ＣＳに沿って外側又は内側に折り曲げることで、ペット用の出入り口が設けられてよい（図２Ｂ参照）。
【００４４】
図１Ｂ等に示すように、側部２０の少なくともいずれかには、ペット用ハウスのデザインが設けられてよい。側部２０には、ミシン目Ｐが形成されずにペット用ハウスのデザインが設けられてよい。ペット用ハウスのデザインとして切り取り線が設けられてよい。実施形態では、第２側部２２に、天窓のデザインが設けられている。天窓の３辺に沿って切り取り線ＣＬのデザインが設けられている。使用者が、切り取り線に沿って段ボール１の一部に切り込みを入れることで、天窓が開くようにすることができる。
【００４５】
梱包状態において、第１側部２１及び第３側部２３のそれぞれの幅（横方向ＣＤの長さ）は、同じであり、第２側部２２及び第４側部２４のそれぞれの幅（横方向ＣＤの長さ）は、同じである。実施形態では、第１側部２１（第３側部２３）の幅は、第２側部２２（第４側部２４）の幅よりも短い。また、梱包状態において、第１側部２１から第４側部２４のそれぞれの高さ（高さ方向ＨＤの長さ）は、同じである。
【００４６】
４つの側面は、一対の幅面と、横方向ＣＤの長さが幅面よりも長い一対の長さ面を有してよい。実施形態では、第１側面及び第３側面が幅面であり、第２側面及び第４側面が長さ面である。
【００４７】
図１Ｂ、図２等に示すように、段ボール１は、一対の天内フラップ６１，６３間がペット用の出入り口となるように、第４側部２４が有する第４側面が接地した状態でペット用ハウスとして使用されている。
【００４８】
ペット用の出入り口付近に位置する一対の天内フラップ６１，６３の少なくとも一方にペット用ハウスのデザインを設けることで、段ボール１をペット用ハウスとして使用者に認識させ易くできる。一方で、段ボール１が梱包用に直方体形状に組み立てられている場合、一対の天外フラップ６２，６４によって天内フラップ６１，６３は外側に露出していないため、天内フラップ６１，６３に設けられたペット用ハウスのデザインを視認できない。これにより、天内フラップ６１，６３のデザインが、段ボール１の搬送に影響を与えず、ペット用ハウスのデザインの自由度を増加させることができる。また、段ボール１の搬送時に、天内フラップ６１，６３のデザインは、他の段ボール１等の外部との接触がないため、デザインが汚れたり、剥がれたりすることを抑制できる。このため、天内フラップ６１，６３のデザインの塗料として、擦れに弱い塗料等を用いることができ、デザインの自由度を増加させることができる。
【００４９】
図２Ａ及び図２Ｂに示すように、一対の天内フラップ６１，６３を、側部２０の端縁２０Ｅ１を基点として動かすことによって、一対の天内フラップ６１，６３間の距離ＧＤを変化させることができる。一対の天内フラップ６１，６３間がペット用の出入り口であるため、ペットの大きさに応じて、一対の天内フラップ６１，６３を動かすことで、ペット用ハウスの出入り口の広さを変更することができる。使用者が段ボール１に切り込みを入れて出入り口を作成する必要がないため、ペット用ハウスとして容易に使用可能である。
【００５０】
また、一対の長さ面の一方である第４側面が接地した長さ面接地状態でペット用ハウスとして使用されてよい。これにより、段ボール１の重心が下がり、ペット用ハウスが安定するため、ペットがペット用ハウスに衝突しても倒れ難くすることができる。
【００５１】
また、図１Ｂ等に示すように、長さ面接地状態において、一対の天内フラップ６１，６３は、一対の天外フラップ６２，６４のうち上側に位置する天外フラップ６２を下側から支持可能であってよい。図１Ｂでは、一対の天外フラップ６２，６４の両方が、天外フラップ６２を下側から支持している。
【００５２】
一対の天内フラップ６１，６３のそれぞれは、幅面を有する側部２０（第１側部２１，第３側部２３）の一方の端縁２０Ｅ１から、長さ面の横方向ＣＤの長さの３０％以上延びてよい。これにより、一対の天内フラップ６１，６３により、長さ面の横方向ＣＤの長さの６０％以上の範囲を支持することができる。従って、図２Ｂに示すように、ペットが、ペット用ハウスの屋根部分を構成する第２側部２２に上ったとしても、一対の天内フラップ６１，６３が、天外フラップ６２を介して第２側部２２を支持することができるため、ペット用ハウスを潰れ難くすることができる。なお、一対の天内フラップ６１，６３のそれぞれは、側部２０の端縁２０Ｅ１から、長さ面の横方向ＣＤの長さの３３％以上延びていてもよい。
【００５３】
また、一対の底内フラップ４１，４３は、側部２０の端縁２０Ｅ１と反対側に位置する側部２０の端縁２０Ｅ２から、長さ面の横方向ＣＤの長さの３０％以上延びてよい。これにより、一対の底内フラップ４１，４３により、長さ面の横方向の長さの６０％以上の範囲を支持することができる。従って、ペットが、ペット用ハウスの屋根部分を構成する第２側部２２に上ったとしても、一対の底内フラップ４１，４３が、第２側部２２を支持することができるため、ペット用ハウスを潰れ難くすることができる。従って、図２Ｂ等に示すように、側部２０の端縁２０Ｅ１側では、一対の天内フラップ６１，６３が第２側部２２を支持でき、側部２０の端縁２０Ｅ２側では、一対の底内フラップ４１，４３が第２側部２２を支持できる。
【００５４】
ここで、図３Ｂに示すように、段ボール１は、厚さ方向Ｔにおける一方側に配置される第１ライナー１１と、厚さ方向Ｔにおける他方側に配置される第２ライナー１２と、第１ライナー１１と第２ライナー１２とに厚さ方向Ｔに挟まれてかつ波状に延びている中芯１３と、を有してよい。
【００５５】
段ボール１は、中芯１３が波状に延びている流れ方向ＦＤと、流れ方向ＦＤに直交する紙幅方向ＰＷＤとを有してよい。実施形態では、図３Ａに示すように、流れ方向ＦＤは、横方向ＣＤと一致しており、紙幅方向ＰＷＤは、高さ方向ＨＤと一致している。なお、紙幅方向ＰＷＤは、目方向と称されてもよい。
【００５６】
図３Ａに示すように、一対の天外フラップ６２，６４は、側部２０の端縁２０Ｅ１から紙幅方向ＰＷＤに延びてよい。
【００５７】
上述したように、長さ面接地状態では、一方の天外フラップ６２は、一対の天内フラップ６１，６３に支持されている状態でペット用ハウスとして使用可能である。
【００５８】
ここで、天外フラップ６２は紙幅方向ＰＷＤに沿って折れ易いため、天外フラップ６２が側部２０から流れ方向ＦＤに延びている場合、一対の天内フラップ６１，６３よりも外側へ延びている天外フラップ６２の一部が、天内フラップ６１，６３を基点として折れて垂れ下がりやすい。そこで、天外フラップ６２が、側部２０から紙幅方向ＰＷＤに延びることで、段ボール１がペット用ハウスとして使用されている状態で、天外フラップ６２の一部が垂れ下がることを抑制できる。
【００５９】
上述したように、天内フラップ６１，６３には、デザインの少なくとも一部に沿ってミシン目Ｐが形成されてよい。使用者が、ミシン目Ｐに沿って容易に段ボール１に切り込みを入れることができるため、ペット用ハウスを容易に作成することができる。加えて、段ボール１が梱包用に直方体形状に組み立てられている場合、天内フラップ６１，６３は外側に露出しておらず、かつ天内フラップ６１，６３の端部が固定されていないため、天内フラップ６１，６３には、ミシン目Ｐが破損するような力が掛かり難い。従って、段ボール１の搬送時に段ボール１がミシン目Ｐに沿って破損することを抑制できる。
【００６０】
また、上述したように、天内フラップ６１，６３は、ミシン目Ｐ１によって囲まれた切り抜き領域ＣＲを有してよい。使用者が、ミシン目Ｐ１に沿って段ボール１を切り抜くことによって切り抜き領域ＣＲには開口が形成される。使用者が、天内フラップ６１，６３を動かす際に、開口に指を入れて天内フラップ６１，６３を掴み易くなる。これにより、使用者が、ペット用の出入り口の大きさを調整する際に、天内フラップ６１，６３をより動かし易くできる。加えて、ミシン目Ｐ１が天内フラップ６１，６３に形成されているため、段ボール１の搬送時に段ボール１がミシン目Ｐ１に沿って破損することを抑制できる。
【００６１】
また、切り抜き領域ＣＲの面積は、１５ｃｍ２以上であってよい。これにより、切り抜き領域ＣＲに形成された開口が広い面積を有するため、親指以外の指を開口に入れやすくなり、内フラップをさらに掴みやすくできる。また、ペット用ハウスに入ったペットが開口から手を出し易くなるため、ペットが、ペット用ハウスに入った状態で、使用者とコミュニケーションを取り易くすることができる。
【００６２】
さらに、切り抜き領域ＣＲの面積は、１００ｃｍ２以上であってよい。これにより、開口に複数の指を入れやすくなり、内フラップをさらに掴みやすくできる。また、ペット用ハウスに入ったペットが開口から顔を出し易くなるため、ペットが、ペット用ハウスに入った状態で、使用者とコミュニケーションをさらに取り易くすることができる。
【００６３】
また、内フラップの面積に対する切り抜き領域ＣＲの面積の割合（切り抜き領域ＣＲの面積／内フラップの面積）は、３０％以下であってよい。当該割合は、２２％以下であってよいし、１７％以下であってよい。切り抜き領域ＣＲの割合を３０％以下にすることで、天内フラップ６１，６３の強度を維持することができ、天内フラップ６１，６３を動かす際に内フラップを曲がり難くすることができる。これにより、使用者が、ペット用の出入り口の大きさを調整する際に、天内フラップ６１，６３をより動かし易くできる。
【００６４】
また、上述したように、側部２０には、ミシン目Ｐが形成されずにペット用ハウスのデザインが設けられてよい。ネコ科の動物の特性として、木などの高いところに上りたがる特性がある。このため、ペット用ハウスの屋根に上る猫は少なくない。側部２０にミシン目Ｐを形成しないことで、猫などのペットが最も上側に位置する第２側部２２（すなわち、ペット用ハウスの屋根部分）に上ったとしても、ペットがミシン目Ｐに沿って形成された穴に落ちることを抑制できる。
【００６５】
また、側部２０には、ミシン目Ｐの代わりに、デザインとして切り取り線ＣＬが設けられてよい。使用者が、切り取り線ＣＬに沿って段ボール１に切り込みを入れることで、段ボール１をよりペット用ハウスとして使用者に認識させ易くできる。加えて、側部２０には、ミシン目Ｐの代わりに切り取り線ＣＬを設けることで、段ボール１の搬送時に段ボール１がミシン目に沿って破損することを抑制できる。
【００６６】
また、上述したように、一対の天内フラップ６１，６３の両方に、ペット用ハウスのデザインが設けられてよい。これにより、段ボール１をペット用ハウスとして使用者により認識させ易くできる。
【００６７】
また、上述したように、天内フラップ６３には、ペット用ハウスのデザインとしてドアのデザインが設けられてよい。これにより、一対の天内フラップ６１，６３間をペット用ハウスの出入り口として使用者に認識させ易くできる。加えて、使用者に、天内フラップ６３を動かすことを促すことができる。
【００６８】
（３）変更例
以下、変更例について、図４を用いて説明する。なお、既に説明した内容と同様の内容については、説明を適宜省略する。図４は、変更例に係る段ボールの模式的な斜視図である。具体的には、図４Ａは、変更例１に係る段ボールの模式的な斜視図である。図４Ｂは、変更例２に係る段ボールの模式的な斜視図である。
【００６９】
図４Ａに示すように、段ボール１には、ペット用ハウスが鮮魚店と視認されるように、デザインが設けられている。段ボール１を遊具として使用するペットに関連するデザインが設けられてよい。また、梱包される物品を使用するペットに関連するデザインが設けられてよい。例えば、梱包される物品を使用するペットが猫である場合、猫は、魚が好きなため、ペット用ハウスのデザインとして、魚を取り扱う鮮魚店と視認されるように、デザインが設けられてよい。
【００７０】
図４Ａに示すように、側部２０には、切り取り線ＣＬによって囲まれた切り抜き領域ＣＲを有してもよい。これにより、ペットが、切り抜き領域ＣＲを切り抜くことによって形成された開口から、顔を出したり、出入りしたりできてもよい。
【００７１】
図４Ｂに示すように、一対の幅面の一方である第３側面（すなわち、第３側部２３）が接地した幅面接地状態でペット用ハウスとして使用されてよい。これにより、比較的高さが高いペットでも、ペット用ハウスとして利用し易くできる。
【００７２】
また、図４Ｂに示すように、一対の天内フラップ６１，６３の少なくとも一方の端縁は、直線状と異なる形状に延びてよい。すなわち、一対の天内フラップ６１，６３が、矩形状と異なる形状に加工されていてよい。これにより、使用者が、ペット用ハウスとして認識し易くできる。
【００７３】
（５）その他実施形態
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００７４】
上述では、デザインが、梱包状態において、段ボール１の厚さ方向Ｔの外側に設けられていたが、これに限られない。デザインは、段ボール１の厚さ方向Ｔの内側に設けられてもよい。これにより、段ボール１の搬送時にデザインが汚れることを抑制することができる。
【００７５】
上述では、一対の内フラップとして、一対の天内フラップ６１，６３を例に挙げて説明したが、これに限られない。一対の内フラップとして、一対の底内フラップ４１，４３にデザインが設けられてよい。この場合、少なくとも底部４０側に、ペット用の出入り口が設けられる。
【００７６】
なお、デザインは、一対の内フラップの少なくとも一方に設けられていればよい。従って、デザインは、一対の外フラップに設けられなくてもよいし、側部２０に設けられなくてもよい。
【００７７】
上述の実施形態、各変更例に係る段ボール１に係る構成は、適宜組み合わせることが可能であることに留意すべきである。
【符号の説明】
【００７８】
１        ：段ボール
２０      ：側部
２１      ：第１側部
２２      ：第２側部
２３      ：第３側部
２４      ：第４側部
４０      ：底部
４１、４３：底内フラップ
４２、４４：底外フラップ
６０      ：天面部
６１、６３：天内フラップ
６２、６４：天外フラップ
７０      ：連結部
【図１】
0003225833.tif 000003
【図２】
0003225833.tif 000004
【図３】
0003225833.tif 000005
【図４】
0003225833.tif 000006
【手続補正書】
【提出日】令和2年1月31日(2020.1.31)
【手続補正１】
【補正対象書類名】実用新案登録請求の範囲
【補正対象項目名】全文
【補正方法】変更
【補正の内容】
【実用新案登録請求の範囲】
【請求項１】
直方体形状に組み立てられて梱包用に使用され、かつペット用ハウスとして使用可能であり、
４つの側面を有する側部と、
前記側部の端縁から延びる一対の内フラップと、
前記側部の端縁から延びており、かつ前記直方体形状に組み立てられた場合に前記一対の内フラップを覆う一対の外フラップと、を備える段ボールであって、
前記一対の内フラップの少なくとも一方には、前記ペット用ハウスのデザインが設けられており、
前記一対の内フラップ間がペット用の出入り口となるように、前記４つの側面のうちのいずれかの側面が接地した状態で前記ペット用ハウスとして使用される段ボール。
【請求項２】
前記内フラップには、前記デザインの少なくとも一部に沿ってミシン目が形成されている請求項１に記載の段ボール。
【請求項３】
前記内フラップは、前記ミシン目によって囲まれた切り抜き領域を有する請求項２に記載の段ボール。
【請求項４】
前記切り抜き領域の面積は、１５ｃｍ２以上であり、
前記内フラップの面積に対する前記切り抜き領域の面積の割合は、３０％以下である請求項３に記載の段ボール。
【請求項５】
前記側部には、ミシン目が形成されずに前記ペット用ハウスのデザインが設けられている請求項１から４のいずれか１項に記載の段ボール。
【請求項６】
前記一対の内フラップの両方に、前記ペット用ハウスの前記デザインが設けられている請求項１から５のいずれか１項に記載の段ボール。
【請求項７】
前記４つの側面は、一対の幅面と、前記４つの側面が並ぶ横方向の長さが前記幅面よりも長い一対の長さ面により構成され、
前記一対の長さ面の一方が接地した長さ面接地状態で前記ペット用ハウスとして使用される請求項１から６のいずれか１項に記載の段ボール。
【請求項８】
前記長さ面接地状態において、前記一対の内フラップは、前記一対の外フラップのうち上側に位置する外フラップを下側から支持可能であり、
前記一対の内フラップのそれぞれは、前記幅面を有する前記側部の一方の端縁から、前記長さ面の前記横方向の長さの３０％以上延びている請求項７に記載の段ボール。
【請求項９】
前記一対の内フラップのそれぞれは、前記幅面を有する前記側部の前記端縁から延びており、
前記幅面を有する前記側部の前記端縁と反対側に位置する前記側部の他方の端縁から、前記長さ面の前記横方向の長さの３０％以上延びている一対の第２内フラップを有する請求項７又は８に記載の段ボール。
【請求項１０】
中芯が波状に延びている流れ方向と、前記流れ方向に直交する紙幅方向と、を有し、
前記一対の外フラップは、前記側部の端縁から前記紙幅方向に延びている請求項７から９のいずれか１項に記載の段ボール。
【請求項１１】
前記内フラップには、前記ペット用ハウスの前記デザインとしてドアのデザインが設けられている請求項１から１０のいずれか１項に記載の段ボール。